(57)【要約】【課題】表示部における測定値の表示の他に、測定者に測定結果又は測定器の状態を報知する機能を備えた測定器において、該測定結果又は測定器の状態を容易に認識することが可能な測定器を提供する。【解決手段】測定対象の測定目的の測定を行う測定部１３と、測定目的の測定値を含む情報を表示するための表示部１６１と、を有する測定器１は、表示部１６１を照明する照明部１６２と、測定結果又は当該測定器の状態に応じて照明部１６２による表示部１６１の照明状態を切り替える制御部１１と、を有する構成とする。【選択図】図１
2013120078.tif 000002
【特許請求の範囲】
【請求項１】
測定対象の測定目的の測定を行う測定部と、前記測定目的の測定値を含む情報を表示するための表示部と、を有する測定器において、
前記表示部を照明する照明部と、
測定結果又は当該測定器の状態に応じて前記照明部による前記表示部の照明状態を切り替える制御部と、
を有することを特徴とする測定器。
【請求項２】
前記測定器の本体に接続され、該測定器の本体から離間した測定箇所に接触させられるテストリードを有することを特徴とする請求項１に記載の測定器。
【請求項３】
前記測定結果は、測定値が予め設定された所定の条件を満たすか否かであることを特徴とする請求項１又は２に記載の測定器。
【請求項４】
前記測定結果は、測定値が予め設定された所定の閾値未満であるか該閾値以上であるかであることを特徴とする請求項３に記載の測定器。
【請求項５】
前記測定器の状態は、測定中であるか否か、測定値が確定したか否か、エラー又は警告事象が発生したか否か、又は当該測定器が異常であるか否かであることを特徴とする請求項１〜４のいずれかの項に記載の測定器。
【請求項６】
前記制御部は、前記測定結果又は当該測定器の状態を示す予め設定された少なくとも２つの区分のそれぞれに対応して、前記照明部が前記表示部を照明する光の色を切り替えることを特徴とする請求項１〜５のいずれかの項に記載の測定器。
【請求項７】
前記制御部は、前記測定結果又は当該測定器の状態を示す予め設定された少なくとも２つの区分のそれぞれに対応して、前記照明部の点灯の有無、点滅の有無、又は点滅間隔を切り替えることを特徴とする請求項１〜６のいずれかの項に記載の測定器。
【請求項８】
前記照明部は、前記表示部の表示面の略全体を照明することを特徴とする請求項１〜７のいずれかの項に記載の測定器。
【請求項９】
前記表示部は、液晶パネル又は指針式メータであることを特徴とする請求項１〜８のいずれかの項に記載の測定器。
【請求項１０】
前記照明部は、バックライト、フロントライト、又は、バックライト若しくはフロントライトとして機能する照明付きタッチパネルであることを特徴とする請求項１〜９のいずれかの項に記載の測定器。
【発明の詳細な説明】
【技術分野】
【０００１】
本発明は、表示部に測定値を表示する測定器に関するものであり、より詳細には、表示部における測定値の表示の他に、測定者に測定結果又は測定器の状態を報知する機能を備えた測定器に関するものである。特に、本発明は、表示部が設けられた測定器本体からリード線を介して引き出されたプローブであるテストリードを用いて測定目的の測定を行う測定器に好ましく適用し得るものである。
【背景技術】
【０００２】
従来、例えば、測定対象（被測定電気機器、被測定回路）に対する印加電圧と漏れ電流との比として捉えられる絶縁抵抗を測定する絶縁抵抗計がある。絶縁抵抗計は、測定対象に印加される定格測定電圧と、該電圧の印加時に測定対象に流れる電流（漏れ電流）との比から、測定対象の絶縁抵抗を測定目的として測定する。
【０００３】
上述のような絶縁抵抗計として、測定対象に印加する定格測定電圧ごとに基準値が記憶部に記憶されており、指定した定格測定電圧を測定対象に印加して測定された絶縁抵抗の測定値（絶縁抵抗値）と基準値とを比較し、その比較による判定結果を測定器本体に設けられた表示部に表示するようになっているものがある（絶縁抵抗判定）。例えば、図５に示すように、絶縁抵抗値が基準値未満の場合には「ＦＡＩＬ（或いはＬｏ）」と（図５（ａ））、又絶縁抵抗値が基準値以上の場合には「ＰＡＳＳ（或いはＨｉ）」と（図５（ｂ））、液晶ディスプレイなどとされる測定器本体２００の表示部２０１に表示する。又、上記表示に代えて又は加えて、判定結果に応じてブザーを鳴らすものもある（特許文献１参照）。
【０００４】
これによれば、単に表示部に絶縁抵抗値自体が表示され、測定者がその絶縁抵抗値が基準値以上であるか基準値未満であるかを求めなければならないものと比較して、測定者が即座に絶縁抵抗値と基準値との比較による判定結果を認識できるため、明確且つ迅速な判定が可能である。
【先行技術文献】
【特許文献】
【０００５】
【特許文献１】特開２０００−２１４１９４号公報
【発明の概要】
【発明が解決しようとする課題】
【０００６】
しかしながら、上記従来の技術には、次のような改善すべき課題があった。
【０００７】
即ち、例えば、図５に示すような絶縁抵抗計において表示部のみに判定結果が表示される場合には、テストリードの接触端を測定箇所に当てて、測定スイッチを押すことで測定を開始し、その後測定器本体の表示部に表示された判定結果を視認する必要がある。従って、例えばテストリードの接触端を測定箇所に当てながら、測定器本体の表示部に目を移す必要がある場合には、測定器本体の表示部を見ている間にテストリードの接触端を測定箇所から誤って離間してしまったり、望まない箇所（例えば、絶縁部分）に当ててしまったりしないように、迅速に判定結果を視認することが求められる。しかし、判定結果の表示が小さかったり、表示部にその他の多くの情報が同時に表示されていたりすると、判定結果を見間違えて、判定を誤る可能性がある。
【０００８】
又、上述のようにブザーにより判定結果を知らせるものがあるが、例えば生産ラインや屋外など雑音（騒音）の大きい測定環境では、ブザーの音が聞き取り難いため、判定を誤る可能性がある。そして、ブザーの音が聞こえなかった場合には、判定結果を表示部において視認する必要があるが、この場合には、上述のように判定結果を見間違えると判定を誤る可能性がある。
【０００９】
このような問題は、上述のような絶縁抵抗計を用いた絶縁抵抗判定など、測定器本体から離間した測定箇所にテストリードの接触端を当てる操作を行いつつ、予め設定された所定の条件が成立（一定の事象の発生又は不発生）した場合に測定器が出力する報知結果を認識する必要のある場面において顕著となり易い。しかし、これに限定されるものではなく、同様の問題は、表示部に測定値を表示する測定器において、表示部における測定値の表示の他に、測定者に測定結果又は測定器の状態を報知する機能を備えた測定器において一般に生じ得る。
【００１０】
従って、本発明の目的は、表示部における測定値の表示の他に、測定者に測定結果又は測定器の状態を報知する機能を備えた測定器において、測定者が該測定結果又は測定器の状態を容易に認識することが可能な測定器を提供することである。
【課題を解決するための手段】
【００１１】
上記目的は本発明に係る測定器にて達成される。要約すれば、本発明は、測定対象の測定目的の測定を行う測定部と、前記測定目的の測定値を含む情報を表示するための表示部と、を有する測定器において、前記表示部を照明する照明部と、測定結果又は当該測定器の状態に応じて前記照明部による前記表示部の照明状態を切り替える制御部と、を有することを特徴とする測定器である。
【発明の効果】
【００１２】
本発明によれば、表示部における測定値の表示の他に、測定者に測定結果又は測定器の状態を報知する機能を備えた測定器において、測定者が該測定結果又は測定器の状態を容易に認識することが可能となる。
【図面の簡単な説明】
【００１３】
【図１】本発明の一実施例に係る絶縁抵抗計の概略機能ブロック図である。
【図２】本発明の一実施例に係る絶縁抵抗計の正面図である。
【図３】本発明の一実施例におけるバックライトによる液晶パネルの照明状態を説明するための模式図である。
【図４】本発明における表示部と照明部の構成態様の例を説明するための模式図である。
【図５】従来の絶縁抵抗判定の結果表示の一例を説明するための模式図である。
【発明を実施するための形態】
【００１４】
以下、本発明の一実施例に係る測定器を図面に則して更に詳しく説明する。本実施例では、本発明に係る測定器は絶縁抵抗計として具現化される。
【００１５】
図１は、本発明の一実施例に係る絶縁抵抗計の概略機能ブロック図である。又、図２は、本実施例に係る絶縁抵抗計の正面図である。
【００１６】
絶縁抵抗計１の本体（測定器本体）１０には、絶縁抵抗計１の各構成要素を統括的に制御するＣＰＵとされる制御部１１が設けられている。制御部１１には、それぞれ測定器本体１０に設けられた、記憶部１２、測定部１３、表示装置１６、操作部１７などが接続されている。制御部１１は、ＥＥＰＲＯＭ（電気的に消去・書き込み可能なＲＯＭ）とされる記憶部１２に格納されたプログラム、データに従って、絶縁抵抗計１の各構成要素を制御する。
【００１７】
測定対象（被測定電気機器、被測定回路）についての所定の測定目的（パラメータ）を測定する測定部１３は、測定対象の測定箇所に対して所定の定格測定電圧を印加する測定電圧発生部と、定格測定電圧印加時に測定対象に流れる電流を検出する電流検出部と、定格測定電圧の印加時に測定電圧発生部が印加する電圧と電流検出部にて検出された電流とをそれぞれ所定のサンプリング間隔（例えば、２回／秒）でディジタルデータに変換するＡ／Ｄ変換部と、を備えている。制御部１１は、測定部１３のＡ／Ｄ変換部からの電圧データ及び電流データに基づいて測定対象の絶縁抵抗値を算出し、後述する絶縁抵抗判定の処理などを行う。
【００１８】
測定器本体１０には、一対の測定端子１５（１５１、１５２）が設けられている。一方の測定端子はアース側測定端子１５１であり、一対のテストリード１４（１４１、１４２）のうち一方のテストリードであるアース側テストリード１４１が着脱可能に接続される。又、他方の測定端子はライン側測定端子１５２であり、他方のテストリードであるライン側テストリード１４２が着脱可能に接続される。アース側測定端子１５１は、アース側テストリード１４１を介して測定対象の接地側に接続される。ライン側測定端子１５２はライン側テストリード１４２を介して測定対象の所定部位に接続される。上記一対のテストリード１４は、上記一対の測定端子１５を介して測定部１３に接続される。
【００１９】
尚、測定器本体１０からリード線を介して引き出されたプローブであるテストリード１４としては、種々のタイプのものを用いることができる。例えば、アース側テストリード１４１としては、図１に模式的に示すような周知の棒状のピン型テストリードの他、周知のはさみ状のワニ口型テストリードを用いてもよい。又、例えばライン側テストリード１４２として、後述する測定器本体１０の操作部１７の測定スイッチと同様の機能を果たす測定スイッチが設けられたものを用いてもよい。又、テストリード１４は、測定器本体１０に着脱可能とされていなくてもよい。
【００２０】
情報を表示するための表示装置１６は、測定器本体１０の一側面に設けられている。本実施例では、表示装置１６は、ディジタルディスプレイである液晶ディスプレイで構成される。表示装置１６は、表示部としての液晶パネル１６１と、表示部を照明する照明部としてのバックライト１６２と、を有する。バックライト１６２は、測定器本体１０の外側面側に設けられた液晶パネル１６１を、測定器本体１０の内部側から照明するように設けられている。
【００２１】
本実施例では、液晶パネル１６１は、予め設定された複数の表示要素を選択的に点灯又は消灯させるモノクロ液晶パネルであり、制御部１１の制御の下、測定値、設定状態などの所定の情報を表示することができる。本発明は、液晶パネルの方式を何ら限定するものではなく、任意の文字やグラフィック情報を表示できるものであってもよく、又カラー表示が可能なものであってもよい。
【００２２】
尚、表示部は、液晶パネルの他に、指針式メータであってもよい。
【００２３】
本実施例では、バックライト１６２は、後述する操作部１７のバックライト点灯ボタンが押されることによって点灯する他、詳しくは後述するように、制御部１１の制御の下、測定結果に応じて点灯することができる。本発明は、バックライト自体の構成を何ら限定するものではない。当業者には周知のように、バックライトとしては、面発光して液晶パネル１６１をその裏面から照明するように構成されたものを用いることができる。一般に、光源と、光源からの光を面状の光に換えるための導光板、光拡散要素（拡散板、光拡散フィルタ）及び／又は光反射要素（反射フィルム）と、を有する。光源としては、冷陰極管、発光ダイオード（ＬＥＤ）、エレクトロルミネッセンス（ＥＬ）などが用いられる。
【００２４】
詳しくは後述するように、バックライト１６２によって液晶パネル１６１を複数色の光で照明する場合、構成が簡易であるなどの点でＬＥＤが好ましい。光源として、複数色の発光が可能なＬＥＤを用いたり、それぞれ異なる色の光を発光するＬＥＤを複数設けたりすることができる。本実施例では、バックライト１６２の光源として、少なくとも緑色と赤（オレンジ）色の光を発光するカラーＬＥＤを用いる。又、本実施例では、バックライト１６２は、液晶パネル１６１の操作者が視認し得る表示面の略全体を照明できるように構成されている。又、本実施例では、後述する操作部１７のバックライト点灯ボタンが押された際には、バックライト１６２は緑色の光で液晶パネル１６１を照明する。
【００２５】
ここで、表示部、照明部の構成態様は、本実施例のものに限定されるものではない。図４に、表示部、照明部のいくつかの構成例を模式的に示す。図４（ａ）は、本実施例の構成例であり、表示部は液晶パネル（透過型液晶パネル）１６１であり、照明部はバックライト１６２である。これに対し、照明部は、バックライトの他に、表示部の外側の面側に配置されるフロントライトであってもよい。フロントライトとしては、上記バックライトと同様に面発光するものを用いることができる。即ち、図４（ｂ）に示すように、表示部を液晶パネル（反射型液晶パネルなど）とし、照明部をフロントライトとすることができる。又、照明部は、照明付きタッチパネルでもよい。照明付きタッチパネルは、液晶パネルの内側の面側に配置してバックライト（図４（ａ）と同様の構成）として機能させたり、液晶パネルの外側の面側に配置してフロントライト（図４（ｂ）と同様の構成）として機能させたりすることができる。照明付きタッチパネルは、一般に、抵抗膜式タッチパネルや静電容量式タッチパネルなどのタッチパネルの構成部品又は付属部品の一部を導光板として、面光源として機能し得るように構成されている。又、図４（ｃ）に示すように、照明部は、表示部の外側（又は内側）の面をその一端部（一側部）から照明する点光源や線光源であってもよく、これにより好ましくは該表示部の操作者が視認し得る表示面の略全体を照明する。
【００２６】
操作部１７には、測定スイッチ１７１、ファンクションスイッチ１７２、コンパレータボタン１７３及び表示装置１６のバックライト点灯ボタン１７４が含まれている。ファンクションスイッチ１７２はロータリースイッチからなり、その切り換えステージとして、抵抗測定・導通チェック用レンジ〔Ω〕、〔ＯＦＦ〕レンジ、交流電圧測定用の〔ＡＣＶ〕レンジおよび定格測定電圧設定レンジを備えている。本実施例では、定格測定電圧設定レンジは、１２５Ｖ、２５０Ｖ、５００Ｖ、１０００Ｖが選択可能であり、この切り換えに応じて、測定部１３の測定電圧発生部から１２５Ｖ、２５０Ｖ、５００Ｖ、１０００Ｖのいずれかの電圧が測定対象に印加される。
【００２７】
記憶部１２には、基準値テーブルが用意されており、これには定格測定電圧ごとに例えば複数の基準値が書き込まれている。そして、コンパレータボタン１７３を押すたびに基準値テーブルから基準値が一つずつ読み出されて、測定対象の絶縁抵抗判定に用いられる。
【００２８】
又、本実施例では、絶縁抵抗計１は、測定器本体１０の対向する２つの側面（図２中の左右側面）上に、首掛けベルト（図示せず）を測定器本体１０に連結するための一対のベルト通し１９（１９１、１９２）が設けられている。
【００２９】
絶縁抵抗計１を用いて測定対象の絶縁抵抗判定を行う際、測定者は、測定器本体１０の一側面に設けられた表示装置１６の表示内容を読み取ることができるように、測定器本体１０の表側（表示装置１６が設けられている側面）１０ａを上側に向けて測定器本体１０を保持する。首かけベルト２０を用いる場合には、適宜の長さに調節された首かけベルト２０を首にかけることで、測定者が測定器本体１０を握ることなく、測定器本体１０を保持することができる。従って、測定者は、両手でテストリード１４を操作することができ、例えば上記測定スイッチ付きのライン側テストリード１４２を用いることで、測定者は測定器本体１０上の操作部１７によらずに、測定の開始／停止などの操作を行うことができる。又、首かけベルト２０を用いる代わりに又はそれに加えて、測定者は、例えば左手で測定器本体１０の図２中左側を握ることで、測定器本体１０を測定者の前側に保持することができる。この場合は、例えば上記ワニ口型のアース側テストリード１４１を用いることで、例えば測定器本体１０を握っていない右手でライン側テストリード１４２を操作すると共に、左手で測定器本体１０の測定スイッチ１７１を操作することで、測定の開始／停止などの操作を行うことができる。勿論、この場合にも上記測定スイッチ付きのライン側テストリード１４２を用いてもよい。
【００３０】
そして、本実施例では、制御部１１は、テストリード１４を用いて行った測定結果に応じてバックライト１６２による液晶パネル１６１の照明状態を切り替えることができる。本実施例では、制御部１１は、測定結果を示す予め設定された少なくとも２つの区分のそれぞれに対応して、バックライト１６２が液晶パネル１６１を照明する光の色を切り替える。特に、本実施例では、制御部１１は、測定結果として、測定値が予め設定された所定の条件を満たすか否かに応じて、バックライト１６２による液晶パネル１６１の照明状態を切り替えるようになっている。この場合、所定の条件を満たすとする測定結果と、満たさないとする測定結果とが、それぞれ上記測定結果を示す予め設定された２つの区分である。より詳細には、本実施例では、制御部１１は、測定結果（判定結果）として、絶縁抵抗の測定値（絶縁抵抗値）が予め設定された所定の閾値（基準値）未満であるか、該閾値（基準値）以上であるかに応じて、バックライト１６２による液晶パネル１６１の照明状態を切り替える。
【００３１】
本実施例では、バックライト１６２は、少なくとも緑と赤（又はオレンジ）の２色の光で液晶パネル１６１を照明できるようになっている。そして、制御部１１は、測定された絶縁抵抗値が基準値以上である場合には、予め設定された合格範囲内であることを表すように、バックライト１６２に緑の光で液晶パネル１６１を照明させる。一方、制御部１２は、測定された絶縁抵抗値が基準値未満である場合には、予め設定された合格範囲外であることを表すように、バックライト１６２に赤（又はオレンジ）の光で液晶パネル１６１を照明させる。
【００３２】
測定者は、バックライト１６２によって照明された液晶パネル１６１の発光色を見ることで、絶縁抵抗の判定結果を知ることができる。これにより、雑音（騒音）の大きい環境でも、視覚的に絶縁抵抗の判定結果を知ることができる。又、バックライト１６２の点灯により液晶パネル１６１の全体が照明されるので、表示装置１６内の一つの表示を視認する場合と比較して、発光面積が広いために視認し易く、判定結果を見間違えることは発生し難い。
【００３３】
尚、バックライト１６２は、測定値が安定してから一定期間だけ点灯させたり、スイッチ操作により測定値がホールドされたときに一定期間又は当該ホールドが解除されるまでの期間だけ点灯させたりすることができる。又、視認性や注意喚起能力を向上するなどのために、バックライト１６２をその点灯期間中の全部又は一部において点滅させてもよい。
【００３４】
ここで、一般に、絶縁抵抗計による絶縁抵抗判定の操作は、屋内、とりわけ薄暗い測定環境で行われることが多い。そのため、バックライト１６２による液晶パネル１６１の照明状態、即ち、表示装置１６の発光状態を視認することは非常に容易である。従って、測定者は、測定器本体１０から離間した測定箇所にテストリード１４の接触端を当てる操作を行いつつ、測定箇所から長時間にわたり大きく視線を移動させる必要なく、表示装置１６の発光状態を視認できる。当業者は、通常の設計的事項として、想定される測定環境、発光色などに応じて、バックライト１６２の明るさ、発光時間などを予め設定することが可能である。
【００３５】
尚、本実施例のように、絶縁抵抗などとされる測定目的の測定値が合格範囲内である場合には安全であることを暗示する緑、合格範囲外である場合には危険を暗示する赤（又はオレンジ）にバックライト１６２を点灯させることで、測定者は測定結果が合格又は不合格であることと共に、安全又は危険な状態であることを、表示装置１６の発光色から直感的に理解することが容易となる。但し、本発明はこれに限定されるものではなく、測定者に測定結果を知らせることができれば、任意の照明状態の切り替え態様とすることができる。
【００３６】
例えば、制御部１１は、測定結果を示す予め設定された少なくとも２つの区分のそれぞれに対応して、バックライト１６２の点灯の有無、点滅の有無、又は点滅間隔を切り替えることができる。点灯の有無を切り替える場合、例えば、測定値が合格範囲外である場合にのみ点灯することができる。又、点滅の有無を切り替える場合、測定値が合格範囲内の場合は一定期間常時点灯させ、合格範囲外の場合にはその期間内に点滅させることができる。又、点滅間隔を切り替える場合、測定値が合格範囲内の場合は点滅間隔を長くし、合格範囲外の場合に点滅間隔を短くすることができる。これらの場合、バックライト１６２が液晶パネル１６１を照明する光は白色光でも有色光であってもよい。
【００３７】
次に、本実施例の絶縁抵抗計１を用いて絶縁抵抗判定を行う場合の測定手順の一例について説明する。先ず、ファンクションスイッチ１７２にて所望とする定格測定電圧を選択する。コンパレータ機能（コンパレータモード）を使用するには、ファンクションスイッチ１７２にて定格測定電圧を選択した上で、コンパレータボタン１７３を押して基準値テーブルから基準値を逐次読み出し、所望の基準値を表示装置１６に表示させることで（図示せず）、その基準値を選択する。その後、測定対象の接地側と所定部位とをそれぞれアース側テストリード１４１とライン側テストリード１４２を介してアース側測定端子１５１とライン側測定端子１５２に接続する。次に、測定スイッチ１７１又はライン側テストリード１４２に設けられた測定スイッチをオンにする。これにより、測定対象の絶縁抵抗値が表示装置１６に表示される。それと共に、制御部１１において測定された絶縁抵抗値と選択された基準値との大小関係の判定が行なわれ、測定値＜基準値の場合には、バックライト１６２が赤色の光で液晶パネル１６１を照明して表示装置１６が赤色に発光し（図３（ｂ））、測定値≧基準値の場合には、バックライト１６２が緑の光で液晶パネル１６１を照明して表示装置１６が緑色に発光する（図３（ａ））。
【００３８】
ここで、バックライト１６２による液晶パネル１６１の照明状態を切り換えることに加えて、表示装置１６上に「ＦＡＩＬ（或いはＬｏ）」（図３（ｂ））、「ＰＡＳＳ（或いはＨｉ）」（図３（ａ））と表示させてもよい。更に、ブザーによる報知を併用してもよい。
【００３９】
尚、本実施例では、測定結果に応じてバックライト１６２による液晶パネルの照明状態を切り替える場合として、測定値が所定の条件を満たすか否か、より詳細には測定値が予め設定された所定の閾値未満であるか該閾値以上であるかに応じて切り替える場合について説明した。しかし、本発明はこれに限定されるものではなく、制御部１１が、測定器１の状態に応じてバックライト１６２による液晶パネル１６１の照明状態を切り替えるようになっていてもよい。例えば、制御部１１は、測定器１の状態として、測定中であるか否か、測定値が確定したか否か、エラー又は警告事象が発生したか否か、又は当該測定器１が異常であるか否かに応じて、バックライト１６２による液晶パネル１６１の照明状態を切り替えることができる。エラー又は警告事象としては、これに限定されるものではないが、活線警告などが挙げられる。又、測定器１の異常としては、これに限定されるものではないが、測定器１の自己診断により判明した故障の存在や、電池容量の減少などが挙げられる。測定器１の状態を報知する場合も、上述の測定結果の報知の場合と同様、バックライト１６２が液晶パネル１６２を照明する光の色を切り替えたり、バックライト１６２の点灯の有無、点滅の有無又は点滅間隔を切り替えたりして、バックライト１６２による液晶パネル１６１の照明状態を切り替えることができる。
【００４０】
一例として、測定中であるか否かで切り替える場合、例えば、測定中にはバックライト１６２が液晶パネル１６１を赤色の光で照明し、測定が終了（測定値をホールド）した場合に緑色の光で照明するようにする。これにより、測定者は測定中はテストリード１４の操作に集中し、測定が終了した場合にのみ測定器本体１０の表示装置１６に視線を移せばよい。同様に、測定値が確定したか否かで切り替える場合、例えば、確定するまではバックライト１６２が液晶パネル１６１を赤色の光で照明し、確定（測定値をホールド）した場合に緑色の光で照明するようにする。又、エラー又は警告事象が発生したか否か、又は測定器が異常であるか否かで切り替える場合には、例えば、エラー又は警告事象が発生した場合、又は測定器が異常である場合にのみ、バックライト１６２が液晶パネル１６１を特定の色（例えば赤又はオレンジ）の光で照明したり、特別に短い間隔で点滅する光で照明したりするようにする。
【００４１】
尚、バックライト１６２による液晶パネル１６１の照明状態は、以上で例示したものに限定されるものではない。例えば、複数の照明状態を区別し得るように前述の照明状態を任意に組み合わせることができる。又、その他の互いに区別し得る複数の照明状態を任意に組み合わせて用いることができる。
【００４２】
以上、本実施例によれば、測定結果又は測定器の状態を、バックライト１６２による液晶パネル１６１の照明状態、即ち、表示装置１６の発光状態により表示する。そのため、測定者は、例えばブザーによる報知を妨げるような騒音の激しい環境でも、比較的大面積の表示装置１６の発光状態の変化により、測定者は容易に且つ瞬時に測定結果又は測定器の状態を知ることができる。これにより、テストリードを測定箇所から外れないようにするなどの測定作業を容易にすることができる。従って、本実施例によれば、液晶パネルにおける測定値の表示の他に、測定者に測定結果又は測定器の状態を報知する機能を備えた測定器において、測定者が該測定結果又は測定器の状態を容易に認識することが可能となる。特に、本実施例によれば、測定者が測定器本体から離間した測定箇所にテストリードの接触端を当てる操作を行っていても、測定結果又は測定器の状態を容易に認識することが可能となる。
【００４３】
尚、上述の実施例では、測定器は絶縁抵抗計であり、測定目的は絶縁抵抗であるものとして説明したが、本発明はこれに限定されるものではない。例えば、測定器はＤＭＭ（Digital Multi Meter：デジタルマルチメータ）などであってもよく、測定目的は電流、電圧などであってもよい。
【符号の説明】
【００４４】
１          測定器
１０        測定器本体
１１        制御部
１４        テストリード
１６        表示装置
１６１      液晶パネル（表示部）
１６２      バックライト（照明部）
【図１】
2013120078.tif 000003
【図２】
2013120078.tif 000004
【図３】
2013120078.tif 000005
【図４】
2013120078.tif 000006
【図５】
2013120078.tif 000007